(57)【要約】【課題】近い未来の番組情報を検索又は把握することができ、しかも簡単操作で近い未来から少し遠い未来までの番組情報も検索又は把握することが可能な番組リストの表示を可能にする番組情報の表示制御装置を提供すること。【解決手段】番組情報の表示制御装置は、各チャンネルの番組情報を受信する受信手段と、第１の時間範囲に対応した各チャンネルの第１の情報量の番組情報をリスト表示するための第１の表示情報、又は第２の時間範囲に対応した各チャンネルの第２の情報量の番組情報をリスト表示するための第２の表示情報を出力する表示情報出力手段と、番組情報のリスト表示指示に基づき前記表示情報出力手段から前記第１の表示情報を出力するよう制御し、時間範囲の切り換え指示に基づき前記表示情報出力手段からの前記第１の表示情報の出力を前記第２の表示情報の出力へ切り換える表示制御手段と、を備える。【選択図】図３
2011066538.tif 000002
【特許請求の範囲】
【請求項１】
各チャンネルの番組情報を受信する受信手段と、
第１の時間範囲に対応した各チャンネルの第１の情報量の番組情報をリスト表示するための第１の表示情報、又は第２の時間範囲に対応した各チャンネルの第２の情報量の番組情報をリスト表示するための第２の表示情報を出力する表示情報出力手段と、
番組情報のリスト表示指示に基づき前記表示情報出力手段から前記第１の表示情報を出力するよう制御し、時間範囲の切り換え指示に基づき前記表示情報出力手段からの前記第１の表示情報の出力を前記第２の表示情報の出力へ切り換える表示制御手段と、
を備えた番組情報の表示制御装置。
【請求項２】
前記表示制御手段は、カーソル移動指示に基づき１番組単位又は各チャンネルに対応した所定時間帯単位で、前記表示情報出力手段からのカーソル位置表示の出力を切り換えることを特徴とする請求項１に記載の番組情報の表示制御装置。
【請求項３】
前記表示制御手段は、前記第１の表示情報に対応した第１のリスト表示中のカーソル移動指示に基づき１番組単位で、前記表示情報出力手段からのカーソル位置表示の出力を切り換え、前記第２の表示情報に対応した第２のリスト表示中のカーソル移動指示に基づき各チャンネルに対応した所定時間帯単位で、前記表示情報出力手段からのカーソル位置表示の出力を切り換えることを特徴とする請求項１に記載の番組情報の表示制御装置。
【請求項４】
前記表示制御手段は、前記所定時間帯単位でのカーソル位置表示の状態でのカーソル位置の決定指示に基づき、前記所定時間帯を時間範囲とした各チャンネルの番組情報をリスト表示するために前記表示情報出力手段から所定の表示情報を出力するよう制御することを特徴とする請求項３に記載の番組情報の表示制御装置。
【請求項５】
前記表示制御手段は、前記第２の表示情報に対応した第２のリスト表示中の前記時間範囲の切り換え指示に基づき、前記表示情報出力手段からの前記第２の表示情報の出力を、第３の時間範囲に対応した各チャンネルの第３の情報量の番組情報をリスト表示するための第３の表示情報の出力へ切り換えることを特徴とする請求項１に記載の番組情報の表示制御装置。
【請求項６】
前記表示制御手段は、前記受信手段により受信された各チャンネルの番組情報の日数を上限として、前記表示情報出力手段から出力される前記第１の表示情報の前記第１の時間範囲及び前記第２の表示情報の前記第２の時間範囲を制御することを特徴とする請求項１に記載の番組情報の表示制御装置。
【請求項７】
前記受信手段は、各チャンネルの放送信号を受信するための複数のチューナーを備えたことを特徴とする請求項１に記載の番組情報の表示制御装置。
【請求項８】
前記表示制御手段は、各チャンネルの現在放送中の映像を含む前記第１の表示情報を前記表示情報出力手段から出力するよう制御し、各チャンネルの現在放送中の映像を含む前記第２の表示情報を前記表示情報出力手段から出力するよう制御することを特徴とする請求項７に記載の番組情報の表示制御装置。
【請求項９】
番組情報のリスト表示指示に基づき、第１の時間範囲に対応した各チャンネルの第１の情報量の番組情報をリスト表示するための第１の表示情報を出力し、
時間範囲の切り換え指示に基づき、前記第１の表示情報の出力を、第２の時間範囲に対応した各チャンネルの第２の情報量の番組情報をリスト表示するための第２の表示情報の出力へ切り換える、
ことを特徴とする番組情報の表示制御方法。
【発明の詳細な説明】
【技術分野】
【０００１】
本発明は、各チャンネルの番組情報を受信し番組情報の表示を制御する番組情報の表示制御装置及び番組情報の表示制御方法に関する。
【背景技術】
【０００２】
近年、デジタルテレビ放送を記録したり再生したりすることが可能な記録再生装置が普及している。例えば、記録再生装置は、ＨＤＤ又はＤＶＤを使ってデジタルテレビ放送を記録する。ＨＤＤなどの情報記憶媒体の記憶容量は、年々増大している。このために、これらの情報記憶媒体を利用した記録再生装置、及びこれらの情報記憶媒体を利用した記録機能付きテレビジョン受信機は、多数の番組を記録することができる。
【０００３】
また、これら記録再生装置及びテレビジョン受信機は、デジタルテレビ放送信号からサービス情報を取得し、このサービス情報に基づき番組リストの表示を制御したり、番組リストを表示したりすることができる。例えば、６チャンネル、５時間分の番組表を表示する番組表表示装置が開示されている（特許文献１参照）。さらに、この番組表表示装置は、日時指定切換画面を表示することができる。日時指定切換画面は、現在を含み水平方向に９日分の日付を配列した日付軸と、垂直方向に１時間単位で２４時間分の時間を配列した時間軸とによって構成される。そして、この番組表表示装置は、この日時指定切換画面の中の所定領域の選択操作に基づき、選択された所定領域に対応した日時の番組表を表示することができる。
【先行技術文献】
【特許文献】
【０００４】
【特許文献１】特開２００８−２１９１６２号公報（図４、図１０、段落番号００７１など）
【発明の概要】
【発明が解決しようとする課題】
【０００５】
しかしながら、上記した番組表表示装置は、６チャンネル、５時間分の番組情報を含む番組表の表示か、或いは番組情報を含まない日時指定切換画面の表示しかできない。このため、近い未来（例えば５時間以内）の番組は検索し易いが、少し遠い未来（例えば６時間より先）の番組が検索し難い。つまり、上記した番組表表示装置が表示する番組表は、５時間以内の比較的詳細な番組情報を含むが、スクロール操作無しでは、ユーザーは、この番組表からでは６時間より先の未来の番組情報を把握することができない。一方の日時指定切換画面は、９日分の日付軸と２４時間分の時間軸とに対応して構成されるが、ユーザーは、この日時指定切換画面から番組情報を把握することはできない。
【０００６】
本発明の目的は、近い未来の番組情報を検索又は把握することができ、しかも簡単操作で近い未来から少し遠い未来までの番組情報も検索又は把握することが可能な番組リストの表示を可能にする番組情報の表示制御装置及び番組情報の表示制御方法を提供することにある。
【課題を解決するための手段】
【０００７】
本発明の一実施形態に係る番組情報の表示制御装置は、各チャンネルの番組情報を受信する受信手段と、第１の時間範囲に対応した各チャンネルの第１の情報量の番組情報をリスト表示するための第１の表示情報、又は第２の時間範囲に対応した各チャンネルの第２の情報量の番組情報をリスト表示するための第２の表示情報を出力する表示情報出力手段と、番組情報のリスト表示指示に基づき前記表示情報出力手段から前記第１の表示情報を出力するよう制御し、時間範囲の切り換え指示に基づき前記表示情報出力手段からの前記第１の表示情報の出力を前記第２の表示情報の出力へ切り換える表示制御手段と、を備える。
【０００８】
本発明の一実施形態に係る番組情報の表示制御方法は、番組情報のリスト表示指示に基づき、第１の時間範囲に対応した各チャンネルの第１の情報量の番組情報をリスト表示するための第１の表示情報を出力し、時間範囲の切り換え指示に基づき、前記第１の表示情報の出力を、第２の時間範囲に対応した各チャンネルの第２の情報量の番組情報をリスト表示するための第２の表示情報の出力へ切り換える。
【発明の効果】
【０００９】
本発明によれば、近い未来の番組情報を検索又は把握することができ、しかも簡単操作で近い未来から少し遠い未来までの番組情報も検索又は把握することが可能な番組リストの表示を可能にする番組情報の表示制御装置及び番組情報の表示制御方法を提供できる。
【図面の簡単な説明】
【００１０】
【図１】本発明の一実施形態に係るデジタルテレビジョン放送受信装置（番組情報の表示制御装置）の概略構成を示す図である。
【図２】第１の番組リストの表示例を示す図である。
【図３】第２の番組リストの表示例を示す図である。
【図４】第３の番組リストの表示例を示す図である。
【図５】第４の番組リストの表示例を示す図である。
【発明を実施するための形態】
【００１１】
以下、図面を参照し、本発明の実施形態について説明する。
【００１２】
図１は、本発明の一実施形態に係るデジタルテレビジョン放送受信装置（番組情報の表示制御装置）の概略構成を示す図である。図１に示すように、デジタルテレビジョン放送受信装置１は、アンテナ１０１、入力端子１０２、チューナー部１０３、外部入力端子１０４〜１０７、信号処理モジュール１０８、コントローラ１１０、ＯＳＤ信号生成モジュール１１１、グラフィック処理モジュール１１２、映像処理モジュール１１３、音声処理モジュール１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ端子１２８、ＨＤＭＩインターフェース１２９、映像表示部１４１、及びスピーカ１４２を備えている。
【００１３】
さらに、チューナー部１０３は、地上デジタルテレビジョン放送用のチューナー１０３１〜１０３８を備え、さらにＢＳ／ＣＳデジタルテレビジョン放送用のチューナーも備えている。本実施形態では、地上デジタルテレビジョン放送に対応した地上デジタルテレビジョン放送の番組表の表示（表示制御）について説明し、ＢＳ／ＣＳデジタルテレビジョン放送に対応した番組表の表示（表示制御）については省略する。しかしながら、本発明は、ＢＳ／ＣＳデジタルテレビジョン放送に対応した番組表の表示（表示制御）にも適用できる。
【００１４】
また、本実施形態では、図１に示すように、デジタルテレビジョン放送受信装置１が、映像表示部１４１及びスピーカ１４２を備えるケースについて説明する。つまり、本発明の番組情報の表示制御装置が、映像表示部１４１及びスピーカ１４２を備えるケースについて説明する。しかしながら、本発明の番組情報の表示制御装置は、このような構成に限定されるものではない。例えば、本発明の番組情報の映像制御装置は、映像表示部１４１及びスピーカ１４２を構成に含まない構成であってもよい。言い換えると、本発明の番組情報の映像制御装置は、ＨＤＭＩ等の接続手段を介して映像表示部１４１及びスピーカ１４２と接続する構成であってもよい。
【００１５】
以下、デジタルテレビジョン放送受信装置１の詳細について説明する。
【００１６】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理モジュール１０８に出力される。
【００１７】
ここで、上記信号処理モジュール１０８は、ＯＦＤＭ復調モジュールから供給されたデジタルの映像信号及び音声信号に対して、選択的に所定のデジタル信号処理を施し、グラフィック処理モジュール１１２及び音声処理モジュール１１４に出力している。
【００１８】
また、上記信号処理モジュール１０８には、例えば４つの入力端子１０４〜１０７が接続されている。これら入力端子１０４〜１０７は、それぞれ、アナログの映像信号及び音声信号を、デジタルテレビジョン放送受信装置１の外部から入力可能とするものである。
【００１９】
そして、この信号処理モジュール１０８は、各入力端子１０４〜１０７からそれぞれ供給されたアナログの映像信号及び音声信号を選択的にデジタル化し、そのデジタル化された映像信号及び音声信号に対して所定のデジタル信号処理を施した後、グラフィック処理モジュール１１２及び音声処理モジュール１１４に出力している。
【００２０】
このうち、グラフィック処理モジュール１１２は、信号処理モジュール１０８から供給されるデジタルの映像信号に、ＯＳＤ（on screen display）信号生成モジュール１１１で生成されるＯＳＤ信号を重畳して出力する機能を有する。このグラフィック処理モジュール１１２は、信号処理モジュール１０８の出力映像信号と、ＯＳＤ信号生成モジュール１１１の出力ＯＳＤ信号とを選択的に出力すること、また、両出力をそれぞれ画面の半分を構成するように組み合わせて出力することができる。
【００２１】
そして、グラフィック処理モジュール１１２から出力されたデジタルの映像信号は、映像処理モジュール１１３に供給される。映像処理モジュール１１３により処理された映像信号は、映像表示部１４１に供給される。映像表示部１４１は、映像信号に基づく映像を表示する。
【００２２】
また、上記音声処理モジュール１１４は、入力されたデジタルの音声信号を、スピーカ１４２で再生可能なフォーマットのアナログ音声信号に変換した後、スピーカ１４２に出力して音声再生させる。
【００２３】
ここで、このデジタルテレビジョン放送受信装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２４】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２５】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２６】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００２７】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００２８】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００２９】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３０】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３１】
さらに、上記コントローラ１１０は、チューナー部１０３により選局されデスクランブルされた放送信号を、ＬＡＮ端子１２２又はＵＳＢ端子１２４を介して接続されたＨＤＤ等へ録画するための録画動作を制御することもできる。なお、上記したように、チューナー部１０３は、複数のチューナーを備えているので、同時に、複数チャンネルの番組を録画したり、複数チャンネルの番組を表示したりすることができる。例えば、デジタルテレビジョン放送受信装置１は、ハイビジョンレベルの画質で複数チャンネルの１週間分の全番組を録画することが可能となる。このような録画をマルチ同時録画と称する。なお、デジタルテレビジョン放送受信装置１は、上記したマルチ同時録画を実現するために、複数チャンネルに対応した複数チューナを備えており、更に、スクランブル放送に対応するために、複数チューナに対応した複数のデスクランブル用のカードを挿入するための複数のカードスロットも備えている。
【００３２】
次に、図２〜図５を参照し、番組リストの表示制御について説明する。デジタルテレビジョン放送受信装置１は、アンテナ１０１を介して地上デジタルテレビジョン放送の信号を受信し、信号処理モジュールは、受信信号からサービス情報を検出することができる。サービス情報には、例えば、８日分の各チャンネルの番組情報が含まれる。
【００３３】
ＯＳＤ信号生成モジュール１１１は、各チャンネルの番組情報に基づき、例えば図２に示す第１の番組リストを表示するためのＯＳＤ信号（第１の表示情報）を生成する。或いは、ＯＳＤ信号生成モジュール１１１は、各チャンネルの番組情報に基づき、例えば図３に示す第２の番組リストを表示するためのＯＳＤ信号（第２の表示情報）を生成する。或いは、ＯＳＤ信号生成モジュール１１１は、各チャンネルの番組情報に基づき、例えば図４に示す第３の番組リストを表示するためのＯＳＤ信号（第３の表示情報）を生成する。或いは、ＯＳＤ信号生成モジュール１１１は、各チャンネルの番組情報に基づき、例えば図５に示す第４の番組リストを表示するためのＯＳＤ信号（第４の表示情報）を生成する。
【００３４】
例えば、図２に示すように、第１の番組リストは、６時間の時間範囲に対応した各チャンネルの第１の情報量の番組情報を含む。例えば、第１の番組リストに含まれた１番組の番組情報は、タイトル及び番組内容の情報を含む。さらに、第１の番組リストの最上段は、各チャンネルの現在放送されている映像、各チャンネルのチャンネル番号、各チャンネルのチャンネルロゴ、及び各チャンネルのチャンネル名などの情報を含む。さらに、第１の番組リストの左端は、２本の録画バーを含む。これら２本の録画バーにより、ユーザーが番組単位で録画予約を指定した時間帯が示される。なお、これら２本の録画バーで表示される録画は、番組指定録画であり、上記したマルチ同時録画とは異なる。さらに、第１の番組リストの右上は、現在日時情報（例えば１０／１３（金）ＰＭ５：１３）を含む。また、第１の番組リストは、この第１の番組リストの表示前に選択されていたチャンネル（例えばチャンネル５、ＤＤＤＴＶ）を他のチャンネルと区別して表示する。さらに、第１の番組リストは、この第１の番組リストの表示前に視聴していた番組に対応した番組情報を他の番組情報と区別して表示する。例えば、視聴していた番組に対応した番組情報は、その番組の放送時間情報（例えば１７：００〜１８：００）を含むことで、他の番組情報と区別して表示する。
【００３５】
また、図３に示すように、第２の番組リストの縦横サイズ（全体のサイズ）は、第１の番組リストの縦横サイズ（全体のサイズ）と同じであり、２４時間の時間範囲に対応した各チャンネルの第２の情報量（＜第１の情報量）の番組情報を含む。例えば、第２の番組リストに含まれた１番組の番組情報は、比較的短いタイトルであればそのタイトル全体を含み、比較的長いタイトルであればそのタイトルの一部を含む。さらに、第２の番組リストの最上段は、第１の番組リストの最上段に含まれた情報と同じ情報を含むことができる。さらに、第２の番組リストの左端及び右上も、第１の番組リストの左端及び右上に含まれた情報と同じ情報を含むことができる。
【００３６】
また、図４に示すように、第３の番組リストの縦横サイズ（全体のサイズ）は、第１の番組リストの縦横サイズ（全体のサイズ）と同じサイズのリストであり、２日程度（４８時間程度）の時間範囲に対応した各チャンネルの第３の情報量（＜第２の情報量）の番組情報を含む。例えば、第３の番組リストに含まれた１番組の番組情報は、番組のジャンルを示すアイコンで示される。なお、第３の番組リスト上で、アイコンが表示し切れない場合には、「…」でアイコンが省略されていることが表示される。さらに、第３の番組リストの最上段は、第１の番組リストの最上段に含まれた情報と同じ情報を含むことができる。さらに、第３の番組リストの右上も、第１の番組リストの右上に含まれた情報と同じ情報を含むことができる。
【００３７】
また、図５に示すように、第４の番組リストの縦横サイズ（全体のサイズ）は、第１の番組リストの縦横サイズ（全体のサイズ）と同じサイズのリストであり、８日の時間範囲に対応した各チャンネルの枠を含む。第４の番組リストの最上段は、第１の番組リストの最上段に含まれた情報と同じ情報を含むことができる。さらに、第４の番組リストの右上も、第１の番組リストの右上に含まれた情報と同じ情報を含むことができる。
【００３８】
例えば、ユーザーが、リモートコントローラ１１６に設けられた番組リストボタンを押下すると、リモートコントローラ１１６は番組リストボタン押下に対応した制御信号（番組情報のリスト表示指示）を送信し、コントローラ１１０は、受信部１１７を介して通知される制御信号（番組情報のリスト表示指示）に基づき、ＯＳＤ信号生成モジュール１１１を制御する。これにより、ＯＳＤ信号生成モジュール１１１は、第１の番組リストを表示するためのＯＳＤ信号（第１の表示情報）を生成し、グラフィック処理モジュール１１２及び映像処理モジュール１１３を介して映像表示部１４１へ出力する。この結果、映像表示部１４１は、図２に示す第１の番組リストを表示する。
【００３９】
第１の番組リストが表示された状態で、さらに、ユーザーが、リモートコントローラ１１６に設けられた複数のカラーボタンのうちの赤ボタンを押下すると、リモートコントローラ１１６は赤ボタン押下に対応した制御信号（時間範囲の切り換え指示）を送信し、コントローラ１１０は、受信部１１７を介して通知される制御信号（時間範囲の切り換え指示）に基づき、ＯＳＤ信号生成モジュール１１１を制御する。これにより、ＯＳＤ信号生成モジュール１１１は、第２の番組リストを表示するためのＯＳＤ信号（第２の表示情報）を生成し、グラフィック処理モジュール１１２及び映像処理モジュール１１３を介して映像表示部１４１へ出力する。この結果、映像表示部１４１は、図３に示す第２の番組リストを表示する。
【００４０】
第２の番組リストが表示された状態で、さらに、ユーザーが、リモートコントローラ１１６に設けられた複数のカラーボタンのうちの赤ボタンを押下すると、リモートコントローラ１１６は赤ボタン押下に対応した制御信号（時間範囲の切り換え指示）を送信し、コントローラ１１０は、受信部１１７を介して通知される制御信号（時間範囲の切り換え指示）に基づき、ＯＳＤ信号生成モジュール１１１を制御する。これにより、ＯＳＤ信号生成モジュール１１１は、第３の番組リストを表示するためのＯＳＤ信号（第３の表示情報）を生成し、グラフィック処理モジュール１１２及び映像処理モジュール１１３を介して映像表示部１４１へ出力する。この結果、映像表示部１４１は、図４に示す第３の番組リストを表示する。
【００４１】
さらに、第３の番組リストが表示された状態で、さらに、ユーザーが、リモートコントローラ１１６に設けられた複数のカラーボタンのうちの赤ボタンを押下すると、リモートコントローラ１１６は赤ボタン押下に対応した制御信号（時間範囲の切り換え指示）を送信し、コントローラ１１０は、受信部１１７を介して通知される制御信号（時間範囲の切り換え指示）に基づき、ＯＳＤ信号生成モジュール１１１を制御する。これにより、ＯＳＤ信号生成モジュール１１１は、第４の番組リストを表示するためのＯＳＤ信号（第４の表示情報）を生成し、グラフィック処理モジュール１１２及び映像処理モジュール１１３を介して映像表示部１４１へ出力する。この結果、映像表示部１４１は、図５に示す第４の番組リストを表示する。つまり、赤ボタン押下により、日時指定ジャンプモードに移行し、第４の番組リストを表示する。第４の番組リストは、ジャンプモード遷移前の第３の番組リストの縦軸（時間帯）を圧縮し、１画面で現在を含め、未来の８日間分の枠を表示する。
【００４２】
さらに、第４の番組リストが表示された状態で、さらに、ユーザーが、リモートコントローラ１１６に設けられた複数のカラーボタンのうちの赤ボタンを押下すると、リモートコントローラ１１６は赤ボタン押下に対応した制御信号（時間範囲の切り換え指示）を送信し、コントローラ１１０は、受信部１１７を介して通知される制御信号（時間範囲の切り換え指示）に基づき、ＯＳＤ信号生成モジュール１１１を制御する。これにより、ＯＳＤ信号生成モジュール１１１は、第１の番組リストを表示するためのＯＳＤ信号（第１の表示情報）を生成し、グラフィック処理モジュール１１２及び映像処理モジュール１１３を介して映像表示部１４１へ出力する。この結果、映像表示部１４１は、第１の番組リストを表示する。
【００４３】
即ち、デジタルテレビジョン放送受信装置１は、赤ボタン押下により、時間範囲が変更された番組リストを表示することができる。例えば、ユーザーは、第１の番組リストにより、近い未来の番組情報を検索又は把握することができ、しかも、簡単操作で表示される第２の番組リストにより、近い未来から少し遠い未来までの番組情報も検索又は把握することができる。さらに、ユーザーは、簡単操作で表示される第３の番組リストにより、近い未来から遠い未来までの番組情報も検索又は把握することができる。
【００４４】
次に、上記した第１、第２、及び第３の番組リスト上のカーソル位置表示について説明する。図２に示すように、第１の番組リストは、この第１の番組リストの表示前に視聴していた番組に対応した番組情報を他の番組情報と区別して表示する。例えば、カーソル位置表示が、第１の番組リストの表示前に視聴していた番組に対応した番組情報に対応する。第１の番組リストが表示された状態で、ユーザーが、リモートコントローラ１１６に設けられたカーソル移動ボタンを押下すると、リモートコントローラ１１６はカーソル移動ボタン押下に対応した制御信号（カーソル移動指示）を送信し、コントローラ１１０は、受信部１１７を介して通知される制御信号（カーソル移動指示）に基づき、ＯＳＤ信号生成モジュール１１１を制御する。これにより、ＯＳＤ信号生成モジュール１１１は、１番組単位でカーソル位置表示を切り換えるためのＯＳＤ信号を生成し、グラフィック処理モジュール１１２及び映像処理モジュール１１３を介して映像表示部１４１へ出力する。この結果、第１の番組リスト上では、１番組単位でカーソル位置表示が切り換わる。
【００４５】
また、図３に示すように、第２の番組リストでは、カーソル位置表示が、各チャンネルに対応した所定時間帯単位に対応する。第２の番組リストが表示された状態で、ユーザーが、リモートコントローラ１１６に設けられたカーソル移動ボタンを押下すると、リモートコントローラ１１６はカーソル移動ボタン押下に対応した制御信号（カーソル移動指示）を送信し、コントローラ１１０は、受信部１１７を介して通知される制御信号（カーソル移動指示）に基づき、ＯＳＤ信号生成モジュール１１１を制御する。これにより、ＯＳＤ信号生成モジュール１１１は、各チャンネルに対応した所定時間帯単位でカーソル位置表示を切り換えるためのＯＳＤ信号を生成し、グラフィック処理モジュール１１２及び映像処理モジュール１１３を介して映像表示部１４１へ出力する。この結果、第２の番組リスト上では、各チャンネルに対応した所定時間帯単位でカーソル位置表示が切り換わる。なお、第３の番組リスト上でも、同様に、各チャンネルに対応した所定時間帯単位でカーソル位置表示が切り換わる。
【００４６】
また、図５に示すように、第４の番組リストでは、カーソル位置表示が、各チャンネルに対応した所定時間帯単位に対応する。さらに、このカーソル位置表示は、このカーソル位置に対応した時間情報（例えばＡＭ８：００〜ＰＭ１５：００）を含む。第４の番組リストが表示された状態で、ユーザーが、リモートコントローラ１１６に設けられたカーソル移動ボタンを押下すると、リモートコントローラ１１６はカーソル移動ボタン押下に対応した制御信号（カーソル移動指示）を送信し、コントローラ１１０は、受信部１１７を介して通知される制御信号（カーソル移動指示）に基づき、ＯＳＤ信号生成モジュール１１１を制御する。これにより、ＯＳＤ信号生成モジュール１１１は、各チャンネルに対応した所定時間帯単位でカーソル位置表示を切り換えるためのＯＳＤ信号を生成し、グラフィック処理モジュール１１２及び映像処理モジュール１１３を介して映像表示部１４１へ出力する。この結果、第４の番組リスト上では、各チャンネルに対応した所定時間帯単位でカーソル位置表示が切り換わる。
【００４７】
また、図５に示すように、カーソル位置表示が１８日のＡＭ８：００〜ＰＭ１５：００にフォーカスした状態で、リモートコントローラ１１６に設けられた決定ボタンが押下されると、１８日のＡＭ８：００〜ＰＭ１５：００（正確にはＡＭ８：００〜ＰＭ１５：５９）に対応した番組リストが再構成（表示）される。また、カーソル位置表示が１９日にフォーカスした状態で、リモートコントローラ１１６に設けられた青ボタンが押下されると、カーソル位置表示が前日の１８日（２４時間）にフォーカスする。また、カーソル位置表示が１９日にフォーカスした状態で、リモートコントローラ１１６に設けられた赤ボタンが押下されると、カーソル位置表示が翌日の２０日（２４時間）にフォーカスする。
【００４８】
例えば、地上デジタルテレビジョン放送に対応した第１、第２、第３、又は第４の番組リストが表示された状態で、リモートコントローラ１１６に設けられたＢＳボタンが押下されると、ＢＳデジタルテレビジョン放送に対応した第１、第２、第３、又は第４の番組リストが表示される。
【００４９】
また、ＢＳデジタルテレビジョン放送に対応した第１、第２、第３、又は第４の番組リストが表示された状態で、リモートコントローラ１１６に設けられた地上デジタルボタンが押下されると、地上デジタルテレビジョン放送に対応した第１、第２、第３、又は第４の番組リストが表示される。
【００５０】
また、地上デジタルテレビジョン放送に対応した第１、第２、第３、又は第４の番組リストが表示された状態で、リモートコントローラ１１６に設けられたＣＳボタンが押下されると、ＣＳデジタルテレビジョン放送に対応した第１、第２、第３、又は第４の番組リストが表示される。
【００５１】
また、ＣＳデジタルテレビジョン放送に対応した第１、第２、第３、又は第４の番組リストが表示された状態で、リモートコントローラ１１６に設けられた地上デジタルボタンが押下されると、地上デジタルテレビジョン放送に対応した第１、第２、第３、又は第４の番組リストが表示される。
【００５２】
続いて、各番組リストが含む時間範囲の上限について説明する。
【００５３】
上記説明したように、デジタルテレビジョン放送により提供されるサービス情報は、８日分の各チャンネルの番組情報を含む。これにより、第１の番組リストが６時間（＜８日）の時間範囲に対応した各チャンネルの番組情報を含むことができ、また、第２の番組リストが２４時間（＜８日）の時間範囲に対応した各チャンネルの番組情報を含むことができ、第３の番組リストが２日（＜８日）の時間範囲に対応した各チャンネルの番組情報を含むことができる。コントローラ１１０は、サービス情報に含まれた各チャンネルの番組情報の日数（８日）を上限として、番組リストを構成する時間範囲を制御する。これに対応して、ＯＳＤ信号生成モジュール１１１は、各番組リストを表示するためのＯＳＤ信号を生成する。
【００５４】
例えば、サービス情報が、１日分の各チャンネルの番組情報しか含まない場合には、これに対応して、ＯＳＤ信号生成モジュール１１１は、６時間（＜１日）の時間範囲に対応した各チャンネルの番組情報を含む第１の番組リストを表示するためのＯＳＤ信号を生成したり、１２時間（＜１日）の時間範囲に対応した各チャンネルの番組情報を含む第２の番組リストを表示するためのＯＳＤ信号を生成したり、２４時間（＜１日）の時間範囲に対応した各チャンネルの番組情報を含む第３の番組リストを表示するためのＯＳＤ信号を生成したりする。
【００５５】
例えば、テレビジョン放送のサービス情報が、８日分の各チャンネルの番組情報を含み、ラジオ放送のサービス情報が、３日分の各チャンネルの番組情報を含む場合には、コントローラ１１０は、各サービス情報に含まれた各チャンネルの番組情報の日数（８日又は３日）を上限として、番組リストを構成する時間範囲を制御する。これに対応して、ＯＳＤ信号生成モジュール１１１は、８日を上限としてテレビジョン放送に対応した番組リストを生成し、また３日を上限としてラジオ放送に対応した番組リストを生成する。
【００５６】
従来の番組リスト表示では、ユーザーは、カーソル移動及び画面スクロールなどの機能を利用して、遠い未来の番組情報を見るしかなかった。しかし、これでは、数日分の多数の番組情報を見るには、不便であった。
【００５７】
本実施形態のデジタルテレビジョン放送受信装置１は、簡単操作に対応して、番組リストを構成する時間範囲を変更することができる。このため、ユーザーは、カーソル移動及び画面スクロールなどの機能だけに依存することなく、簡単操作で、遠い未来の番組情報を見ることができる。また、デジタルテレビジョン放送受信装置１は、番組単位でカーソルを移動することもでき、さらに時間単位でカーソルを移動することもできる。ユーザーは、時間単位でのカーソル移動を利用し、目的の番組情報をより素早く検索することができる。
【００５８】
なお、上記したモジュールとは、ハードウェアで実現するものであっても良いし、ＣＰＵ等を使ってソフトウェアで実現するものであってもよい。
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６０】
１…放送受信装置、２…映像音声出力装置、３…デジタルテレビジョン放送受信システム３、１０１…アンテナ、１０２…入力端子、１０３…チューナー部、１０４〜１０７…外部入力端子、１０８…信号処理モジュール、１１０…コントローラ、１１１…ＯＳＤ信号生成モジュール、１１２…グラフィック処理モジュール、１１３…映像処理モジュール、１１４…音声処理モジュール、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ
【図１】
2011066538.tif 000003
【図２】
2011066538.tif 000004
【図３】
2011066538.tif 000005
【図４】
2011066538.tif 000006
【図５】
2011066538.tif 000007
【手続補正書】
【提出日】平成23年1月17日(2011.1.17)
【手続補正２】
【補正対象書類名】特許請求の範囲
【補正対象項目名】全文
【補正方法】変更
【補正の内容】
【特許請求の範囲】
【請求項１】
各チャンネルの番組情報を受信する受信手段と、
第１の時間範囲に対応した各チャンネルの第１の情報量の番組情報をリスト表示するための第１の表示情報、又は前記第１の時間範囲より長い第２の時間範囲に対応した各チャンネルの前記第１の情報量より少ない第２の情報量の番組情報をリスト表示するための第２の表示情報を出力する表示情報出力手段と、
番組情報のリスト表示指示に基づき前記表示情報出力手段から前記第１の表示情報を出力するよう制御し、時間範囲の切り換え指示に基づき前記表示情報出力手段からの前記第１の表示情報の出力を前記第２の表示情報の出力へ切り換える表示制御手段と、
を備え、
前記表示制御手段は、前記第１の表示情報に対応した第１のリスト表示中のカーソル移動指示に基づき１番組単位で、前記表示情報出力手段からのカーソル位置表示の出力を切り換え、前記第２の表示情報に対応した第２のリスト表示中のカーソル移動指示に基づき各チャンネルに対応した所定時間帯単位で、前記表示情報出力手段からのカーソル位置表示の出力を切り換えることを特徴とする番組情報の表示制御装置。
【請求項２】
前記表示制御手段は、前記所定時間帯単位でのカーソル位置表示の状態でのカーソル位置の決定指示に基づき、前記所定時間帯を時間範囲とした各チャンネルの番組情報をリスト表示するために前記表示情報出力手段から所定の表示情報を出力するよう制御することを特徴とする請求項１に記載の番組情報の表示制御装置。
【請求項３】
前記表示制御手段は、前記第２の表示情報に対応した第２のリスト表示中の前記時間範囲の切り換え指示に基づき、前記表示情報出力手段からの前記第２の表示情報の出力を、前記第２の時間範囲より長い第３の時間範囲に対応した各チャンネルの前記第２の情報量より少ない第３の情報量の番組情報をリスト表示するための第３の表示情報の出力へ切り換えることを特徴とする請求項１に記載の番組情報の表示制御装置。
【請求項４】
前記表示制御手段は、前記受信手段により受信された各チャンネルの番組情報の日数を上限として、前記表示情報出力手段から出力される前記第１の表示情報の前記第１の時間範囲及び前記第２の表示情報の前記第２の時間範囲を制御することを特徴とする請求項１に記載の番組情報の表示制御装置。
【請求項５】
前記受信手段は、各チャンネルの放送信号を受信するための複数のチューナーを備えたことを特徴とする請求項１に記載の番組情報の表示制御装置。
【請求項６】
前記表示制御手段は、各チャンネルの現在放送中の映像を含む前記第１の表示情報を前記表示情報出力手段から出力するよう制御し、各チャンネルの現在放送中の映像を含む前記第２の表示情報を前記表示情報出力手段から出力するよう制御することを特徴とする請求項５に記載の番組情報の表示制御装置。
【手続補正３】
【補正対象書類名】明細書
【補正対象項目名】０００１
【補正方法】変更
【補正の内容】
【０００１】
本発明は、各チャンネルの番組情報を受信し番組情報の表示を制御する番組情報の表示制御装置に関する。
【手続補正４】
【補正対象書類名】明細書
【補正対象項目名】０００６
【補正方法】変更
【補正の内容】
【０００６】
本発明の目的は、近い未来の番組情報を検索又は把握することができ、しかも簡単操作で近い未来から少し遠い未来までの番組情報も検索又は把握することが可能な番組リストの表示を可能にする番組情報の表示制御装置を提供することにある。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、近い未来の番組情報を検索又は把握することができ、しかも簡単操作で近い未来から少し遠い未来までの番組情報も検索又は把握することが可能な番組リストの表示を可能にする番組情報の表示制御装置を提供できる。
【手続補正７】
【補正対象書類名】明細書
【補正対象項目名】００５９
【補正方法】変更
【補正の内容】
【００５９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本出願の出願当初の特許請求の範囲に記載された発明を付記する。
［１］
各チャンネルの番組情報を受信する受信手段と、
第１の時間範囲に対応した各チャンネルの第１の情報量の番組情報をリスト表示するための第１の表示情報、又は第２の時間範囲に対応した各チャンネルの第２の情報量の番組情報をリスト表示するための第２の表示情報を出力する表示情報出力手段と、
番組情報のリスト表示指示に基づき前記表示情報出力手段から前記第１の表示情報を出力するよう制御し、時間範囲の切り換え指示に基づき前記表示情報出力手段からの前記第１の表示情報の出力を前記第２の表示情報の出力へ切り換える表示制御手段と、
を備えた番組情報の表示制御装置。
［２］
前記表示制御手段は、カーソル移動指示に基づき１番組単位又は各チャンネルに対応した所定時間帯単位で、前記表示情報出力手段からのカーソル位置表示の出力を切り換えることを特徴とする［１］に記載の番組情報の表示制御装置。
［３］
前記表示制御手段は、前記第１の表示情報に対応した第１のリスト表示中のカーソル移動指示に基づき１番組単位で、前記表示情報出力手段からのカーソル位置表示の出力を切り換え、前記第２の表示情報に対応した第２のリスト表示中のカーソル移動指示に基づき各チャンネルに対応した所定時間帯単位で、前記表示情報出力手段からのカーソル位置表示の出力を切り換えることを特徴とする［１］に記載の番組情報の表示制御装置。
［４］
前記表示制御手段は、前記所定時間帯単位でのカーソル位置表示の状態でのカーソル位置の決定指示に基づき、前記所定時間帯を時間範囲とした各チャンネルの番組情報をリスト表示するために前記表示情報出力手段から所定の表示情報を出力するよう制御することを特徴とする［３］に記載の番組情報の表示制御装置。
［５］
前記表示制御手段は、前記第２の表示情報に対応した第２のリスト表示中の前記時間範囲の切り換え指示に基づき、前記表示情報出力手段からの前記第２の表示情報の出力を、第３の時間範囲に対応した各チャンネルの第３の情報量の番組情報をリスト表示するための第３の表示情報の出力へ切り換えることを特徴とする［１］に記載の番組情報の表示制御装置。
［６］
前記表示制御手段は、前記受信手段により受信された各チャンネルの番組情報の日数を上限として、前記表示情報出力手段から出力される前記第１の表示情報の前記第１の時間範囲及び前記第２の表示情報の前記第２の時間範囲を制御することを特徴とする［１］に記載の番組情報の表示制御装置。
［７］
前記受信手段は、各チャンネルの放送信号を受信するための複数のチューナーを備えたことを特徴とする［１］に記載の番組情報の表示制御装置。
［８］
前記表示制御手段は、各チャンネルの現在放送中の映像を含む前記第１の表示情報を前記表示情報出力手段から出力するよう制御し、各チャンネルの現在放送中の映像を含む前記第２の表示情報を前記表示情報出力手段から出力するよう制御することを特徴とする［７］に記載の番組情報の表示制御装置。
［９］
番組情報のリスト表示指示に基づき、第１の時間範囲に対応した各チャンネルの第１の情報量の番組情報をリスト表示するための第１の表示情報を出力し、
時間範囲の切り換え指示に基づき、前記第１の表示情報の出力を、第２の時間範囲に対応した各チャンネルの第２の情報量の番組情報をリスト表示するための第２の表示情報の出力へ切り換える、
ことを特徴とする番組情報の表示制御方法。